(57)【要約】  吸収性おむつ（１）は上部シート（５）及び下部シート（６）及び吸収芯（７）を有する。おむつはまた、後腰部分（４）及び前腰部分（２）を有し、各々は上部縁（８，９）をそれぞれ有する。おむつはさらに、上部縁（８，９）を横切ってかつそのまわりに上部シート（５）及び下部シート（６）の両方に取り付けられる廃棄テープ（１４）を有する。取り付け（１７）の一つが釈放可能である。廃棄テープ（１４）は廃棄のための丸められた又は折りたたまれた構成でおむつを維持するための手段として使用され、廃棄のために使用される前にそれはおむつの上部縁（８，９）を覆い、装着者に快適な上部縁を与える。【選択図】  図２
2007508878.tif 000002
【特許請求の範囲】
【請求項１】
身体対面表面、下着対面表面及びそれらの間の吸収芯（７）を含む吸収性おむつ（１，１０１，２０１，３０１，４０１，５０１，６０１）であって、前記おむつが後腰部分（４，３０４，４０４）及び前腰部分（２）をさらに含み、前記腰部分の各々が上部縁（８，９；１０８，１０９；２０８，２０９；３０８，３０９；４０８，４０９；５０８，５０９；６０８，６０９）を含み、前記おむつが前記腰部分の少なくとも一つに取り付けられた廃棄テープ（１４，１１４，２１４，３１４，４１４，５１４，６１４）をさらに含む場合において、前記廃棄テープが前記上部縁（８，９；１０８，１０９；２０８，２０９；３０８，３０９；４０８，４０９；５０８，５０９；６０８，６０９）の一つを横切ってかつそのまわりに前記身体対面表面及び前記下着対面表面の両方に取り付けられていることを特徴とする吸収性おむつ。
【請求項２】
前記身体対面表面が液体透過性層を含み、前記下着対面表面が液体不透過性層を含むことを特徴とする請求項１に記載の吸収性おむつ。
【請求項３】
前記廃棄テープ（１４，１１４，２１４，３１４，４１４，５１４，６１４）が前記上部縁（８，９；１０８，１０９；２０８，２０９；３０８，３０９；４０８，４０９；５０８，５０９；６０８，６０９）の一つの横方向中央部分を少なくとも覆うように前記廃棄テープ（１４，１１４，２１４，３１４，４１４，５１４，６１４）が前記身体対面表面及び／又は前記下着対面表面に取り付けられることを特徴とする請求項１又は２に記載の吸収性おむつ。
【請求項４】
前記廃棄テープ（１４，１１４，２１４，３１４，４１４，５１４，６１４）の第一部分が前記身体対面表面及び前記下着対面表面の一方に固定して取り付けられ、前記廃棄テープ（１４，１１４，２１４，３１４，４１４，５１４，６１４）の第二部分が前記身体対面表面及び前記下着対面表面の他方に釈放可能に取り付けられることを特徴とする請求項１〜３のいずれかに記載の吸収性おむつ。
【請求項５】
前記廃棄テープ（１４，１１４，２１４，３１４，４１４，５１４，６１４）が前記身体対面表面に固定して取り付けられることを特徴とする請求項４に記載の吸収性おむつ。
【請求項６】
前記廃棄テープ（１４，１１４，２１４，３１４，４１４，５１４，６１４）の前記第二部分がフック及びループ型の釈放可能な取り付け手段のフック取り付け部材を含むことを特徴とする請求項４又は５に記載の吸収性おむつ。
【請求項７】
前記廃棄テープ（１４，１１４，２１４，３１４，４１４，５１４，６１４）が腰部分（２，４）の上部縁（８，９；１０８，１０９；２０８，２０９；３０８，３０９；４０８，４０９；５０８，５０９；６０８，６０９）と身体対面表面に対する廃棄テープ（１４，１１４，２１４，３１４，４１４，５１４，６１４）の取り付けの点の間に位置される前記廃棄テープの少なくとも一部において不織材料及び／又はフォーム材料を含むことを特徴とする請求項１〜６のいずれかに記載の吸収性おむつ。
【請求項８】
前記廃棄テープが弾性的に伸張可能であることを特徴とする請求項１〜７のいずれかに記載の吸収性おむつ。
【請求項９】
前記不織材料が前記廃棄テープ（１４，１１４，２１４，３１４，４１４，５１４，６１４）の実質的に全長さに延び、前記不織材料の表面重量が１０ｇ／ｍ２〜８０ｇ／ｍ２、好ましくは１５ｇ／ｍ２〜６５ｇ／ｍ２の範囲にあることを特徴とする請求項７又は８に記載の吸収性おむつ。
【請求項１０】
前記廃棄テープ（１４，１１４，２１４，３１４，４１４，５１４，６１４）の前記不織材料が単一不織層に存在することを特徴とする請求項９に記載の吸収性おむつ。
【請求項１１】
前記フォーム材料がポリウレタンフォーム又はポリエチレンフォームであり、前記フォームが０．５ｍｍ〜８ｍｍの厚さを有することを特徴とする請求項７又は８に記載の吸収性おむつ。
【請求項１２】
前記フォーム材料が連続気泡フォームであることを特徴とする請求項１１に記載の吸収性おむつ。
【請求項１３】
前記下着対面表面が不織材料の下部シート（６，１０６，２０６，３０６，４０６，５０６，６０６）を含むことを特徴とする請求項１〜１２のいずれかに記載の吸収性おむつ。
【請求項１４】
前記おむつがパンツ型おむつ（１０１，２０１，３０１，４０１，５０１，６０１）であることを特徴とする請求項１〜１３のいずれかに記載の吸収性おむつ。
【請求項１５】
前記おむつが使い捨ておむつ（１，１０１，２０１，３０１，４０１，５０１，６０１）であることを特徴とする請求項１〜１４のいずれかに記載の吸収性おむつ。
【請求項１６】
前記廃棄テープ（１４，１１４，２１４，３１４，４１４，５１４，６１４）が前記腰部分（２，４，３０４，４０４）の上部縁（８，９；１０８，１０９；２０８，２０９；３０８，３０９；４０８，４０９；５０８，５０９；６０８，６０９）に沿った方向に２〜１５ｃｍ延びることを特徴とする請求項１〜１５のいずれかに記載の吸収性おむつ。
【請求項１７】
前記廃棄テープ（１１４，４１４，５１４，６１４）が前記上部縁（１０８，１０９；４０８，４０９；５０８，５０９；６０８，６０９）の少なくとも５０％に沿って少なくとも一つの前記腰部分（４０４）の上部縁（１０８，１０９；４０８，４０９；５０８，５０９；６０８，６０９）を横切って延びることを特徴とする請求項１〜１６のいずれかに記載の吸収性おむつ。
【発明の詳細な説明】
【技術分野】
【０００１】
本発明は、請求項の前提部分に規定されたような廃棄手段を有する種類の人排泄物を吸収するための吸収性おむつに関する。特に、本発明は、廃棄テープの形でかかる廃棄手段を与えられた、おむつの前及び後腰部分を一緒に固定するための閉鎖手段を有するタイプの使い捨て吸収性おむつ、又は廃棄テープを与えられた使い捨て吸収性パンツ型おむつに関する。
【背景技術】
【０００２】
前及び後部分を一緒に固定するための閉鎖手段を有するパンツ型の吸収性おむつは例えばＥＰ−Ａ  ０７３２０９４から知られている。再閉鎖可能な側部を有するパンツ型おむつも知られており、それによれば側部の一方又は両方を引裂開放した後に開放側部の再閉鎖を可能にする追加の側部の固定手段が与えられる。
【０００３】
いったんおむつが使用されると、通常最初に汚れた後、おむつは使用者から除去され、おむつ内の排泄物を維持するために折りたたまれるか又は丸められる。おむつを閉じた状態に維持するために、側部固定おむつの側部固定テープを各々使用しておむつを閉鎖された構成で保持してもよい。これは例えば側部固定テープを閉鎖されたおむつの外部表面を横切って互いに緊張及び接合することによってなされてもよく、あるいはもしおむつの下部シートが好適であるなら固定テープは各々閉鎖されたおむつの下部シートに接合されてそれを閉鎖するように維持することができる。パンツ型おむつでは、典型的には側部固定テープが全くないので特別な廃棄手段が通常与えられる。そのとき、かかる廃棄テープを前述のＥＰ−Ａ  ０７３２０９４に示されるように使用してもよい。テープはおむつの上部腰縁の一つの横方向中央部分で下部シート又は上部シートに取り付けられる。おむつが廃棄されるとき、テープは開放され、次いでそれを変形する（それを弾性的に変形することを含む）ことによって延ばされ、かくしておむつを閉鎖状態に維持するように閉鎖されたおむつのまわりを結ぶか又はその対抗端で閉鎖されたおむつの下部シートに接着されることができる長さのテープを与える。
【０００４】
側部固定及びパンツ型の両方のおむつは各々、前及び後腰部分を含み、その部分は典型的には伸縮される。特に前腰部分の上部縁は、上部縁が比較的狭く、少し剛く（特に伸縮のため）、そして時には比較的鋭利なことさえあるため、装着者が動くときに装着者にとって不快でありうる。ある場合には、腰部分の上部縁は装着者の皮膚を摩擦又は切断しうる。この問題は前腰部分上部縁の横方向中央部分（即ち、装着時に装着者のへそとほぼ一致する部分）において特に強調されうる。
【０００５】
本発明の目的の一つは少なくとも上部腰縁の部分のために改良された上部縁構成を有するおむつを提供することである。
【０００６】
パンツ型のおむつに関する本発明のさらなる目的は最小の余分な材料で前記改良された上部縁構成を提供することである。
【発明の開示】
【０００７】
本発明の目的は請求項１に規定された特徴を有する吸収性おむつによって達成される。本発明の好ましい特徴は従属請求項に規定される。
【０００８】
本発明のさらなる特徴はこの明細書の読者に明らかであろう。
【０００９】
吸収性おむつは後腰部分及び前腰部分に関して規定され、これらの用語は使用時に装着者の背中及び胃の部分のそれぞれに対して位置されることを意図されるおむつの部分を規定するために使用される。しかしながら、本発明のおむつで使用される廃棄テープは後及び／又は前腰部分に取り付けられてもよい。
【００１０】
本発明における廃棄テープはおむつの前腰部分に取り付けられてもよい。特に、廃棄テープは中央部分に幅広い、そして好ましくは柔らかい上部縁を与えるようにおむつの前及び／又は後腰部分の横方向中央部分に位置されてもよい。この点に関して、横方向は一方の腰部分側縁（ヒップの上に位置される）から他方の側縁まで走る方向であり、中央部分は側縁の間のほぼ中央に位置されるおむつの部分を規定する。ほとんどの場合において、廃棄テープは前及び後腰部分の間の中央に走るおむつの縦軸に沿って又はその縦軸の近くに位置されるだろう。
【００１１】
廃棄テープはおむつの各部分に対して一般にその一方の端部分で固定して取り付けられ、一般にその他方の端部分で釈放可能に取り付けられることが好ましい。この点に関して、固定して取り付けられるという用語は、通常の使用時に引裂かれることを意図せず、もし引裂かれたとしても取り付けられている層の一方の破壊を生じるが再取り付けを意図しない取り付けを意味することを意図される。かかる取り付けは例えば溶接によって形成されてもよい。釈放可能な取り付けは、取り付けられるだけでなく除去（脱着）され再取り付けされることを意図される取り付け手段である。かかる釈放可能な固定手段はそれ自体業界で良く知られており、釈放可能な機械的固定手段の形であることが好ましい。かかる釈放可能な機械的固定手段は最も一般的にはフック及びループ型（その一例はＶｅｌｃｒｏ（登録商標）である）のものである。かかるフック及びループ固定手段は要素が厳密にはフック又はループの形でないタイプ、例えばマッシュルーム形状の頭を含む。当業者に明らかである本発明のおむつで使用するために好適である、かかる釈放可能な機械的固定手段の多くの変形が存在する。ボタン／ボタンホールの組み合わせ、又は押ボタンなどの剛い要素を含むタイプの機械的係合固定手段は釈放可能な機械的固定手段の用語に含まれることを意図されない。
【００１２】
おむつの前及び／又は後腰部分は追加の快適性を与えるために腰弾性体を与えられてもよい。
【００１３】
本発明のおむつの廃棄テープは弾性的であってもよい。廃棄テープはもしそれが実質的に永久的な歪なしで５０％より多く弾性的に伸張されることができるなら弾性的であると考えられる。実質的に永久的な歪は、５分未満の時間、伸張を保持されるとき、最初の伸張の初期長さの約１０％より多いオーダであるものとして理解される。
【００１４】
図面の簡単な記述
本発明は添付図面の助けによってその限定されない実施態様を参照してより詳細に説明されるだろう。
図１は本発明による再閉鎖可能なおむつを平坦に横たわらせた状態で示す。
図２は図１の線ＩＩ−ＩＩに沿った横断面図を示す。
図３は横方向中央部分における廃棄テープを描くパンツ型おむつの前腰部分に対する図を示す。
図４は図３のおむつの側部透視図を示す。
図５は身体対面表面に固定して取り付けられかつ下部シートに取り付けられた廃棄テープを用いて廃棄のために丸められたパンツ型おむつの一例を示す。
図６及び７は各々、おむつ廃棄のための別の廃棄テープ取り付け位置を有する図５と同様のパンツ型おむつを示す。
図８は別の形の廃棄テープを有する図３と同様の図のさらなる実施態様を示す。
図９は図８のおむつの後腰部分に対する図を示す。
図１０は別の形の廃棄テープを有する図６と同様の図を示す。
【発明を実施するための最良の形態】
【００１５】
図１はおむつの身体対面表面上に向かって上から見た本発明による平坦に横たわらせたおむつの一実施態様の図を示す。おむつ１は縦軸Ｙ−Ｙ及びそれに対してほぼ垂直に延びる横軸Ｘ−Ｘを含む。縦方向では、吸収製品１は三つの部分、即ち前腰部分２、中央又は股部分３及び後腰部分４に分割される。おむつ前腰部分２は使用時に使用者の前腰に対して置かれることを意図される。使用者上に位置される前及び後腰部分２，４を用いて、下部シート６上に固定して位置され、かつ自由端で好ましくは釈放可能な取り付け手段（図示せず）を含む固定テープ２５，２６は次いで、おむつの側部を装着者上で閉鎖するように従来の良く知られた方法で前腰部分の下部シートに固定される。
【００１６】
縦軸Ｙ−Ｙは一般にこれらの三つの部分２，３，４の各々の中間点を通る。
【００１７】
上部又は身体対面表面は液体透過性上部シート５によって構成される。反対の表面、即ち下着対面表面は液体不透過性下部シート６によって構成される。液体不透過性下部シート６は上部シート５と共通の範囲を有し、例えば溶接又は接着剤又は他の固定取り付けによって前記両シートの周囲で上部シート５に封止されることが好ましい。下部シート６と上部シート５の間には、吸収芯７が存在する。上部シート５、下部シート６及び吸収芯７の可能な構造、材料及び形状は当業者によって幅広く変更されることができ、多くの可能性が業界で既に知られている。
【００１８】
おむつの前腰部分２は図に示された距離Ａ、即ち一方の腰側縁から他方の腰側縁まで横方向に延びる上部縁８を含む。後腰部分４はまた、二つの側縁及び一つの横方向縁を含み、前記横方向縁はここでは上部縁９として言及され（装着者の腰の上部縁の使用時のその究極的な位置のため）、それは典型的には上部縁８に対して等距離に延びるだろう。
【００１９】
前腰部分２及び／又は後腰部分４には、第一伸縮性腰区域１０及び第二伸縮性腰区域１１がそれぞれ存在することが好ましい。腰弾性体１２，１３はそれぞれ存在する場合には、快適で十分に適合する腰部分をなお与えながら、例えば立ったり座ったりするときの使用者の動きを考慮できるために５０％まで又はそれ以上の伸張を可能にすることが好ましい。腰弾性体は存在するとき、腰弾性体における弾性力による吸収芯７のいかなる一団化も最小になるように吸収芯７の縦方向限界の外に位置されることが好ましい。腰弾性体はもし望むなら、廃棄テープ１４がおむつ１に取り付けられる場合に廃棄テープ１４のいかなる一団化も避けるために、廃棄テープ１４の境界の外にある腰部分の領域に部分的に又は全体的に位置されてもよい。
【００２０】
脚弾性体１５及び１６及び伸縮性耳（図示せず）の如き他の弾性体を含めてもよい。さらに、直立ギャザー、糞便ポケット、及び他の三角ぎれ形成などの他のおむつ構成を含めてもよい。但し、これらは当業者に公知であるので、さらにここで詳細に記載又は図示されず、また本発明の製品とは直接関係がない。
【００２１】
少なくとも一つの廃棄テープ１４は前腰部分２又は後腰部分４の横方向（Ｘ−Ｘ）のほぼ中央に位置される。少なくとも一つの廃棄テープ１４は前及び後腰部分２，４の両方に位置されてもよい。しかしながら、一般に、例えば前腰部分２に位置された一つだけの廃棄テープ１４が要求される。
【００２２】
廃棄テープ１４はそれが上部縁８を横切ってそのまわりを通る位置でＢ≦Ａとなるような横方向の幅Ｂ（図１参照）を有する。その最も簡単な形では、廃棄テープ１４はその全長さ（Ｙ−Ｙ方向）に沿った一定の寸法Ｂのほぼ矩形のストリップであるが、これは必要条件ではない。テープは楕円（図示せず）又は砂時計形状の如き別の形状、又は機能的又は美観的な点から望ましい他の形状であってもよい。
【００２３】
寸法Ｂはそれが腰上部縁８を横切ってそのまわりを通る部分において２ｃｍほどの小ささであってもよいが、それは好ましくは２ｃｍより大きく、より好ましくは５ｃｍより大きく、１５ｃｍまで、又はそれよりさらに大きくてもよい。寸法Ｂは上部縁８の主要部分の被覆するように寸法Ａの５０％以上に及ぶように選択されることが有利である。
【００２４】
図２に明らかに示されるように、廃棄テープ１４は取り付け手段１７によって下部シート６に、そして取り付け手段１８によって上部シート５に取り付けられる。取り付け手段１７，１８の各々は単一領域の取り付け又は多数の領域の取り付け（例えば離間された位置で）によって構成されてもよい。取り付け手段１７及び１８は各々、釈放可能な取り付けであってもよいが、取り付け手段の一つが固定された取り付け手段であることが好ましい。好ましくは、取り付け手段１８はストリップ１４と上部シート５の間の固定された取り付けであるべきである。なぜならば廃棄テープ１４のこの部分は装着者の皮膚に最も近いからである。従って、おむつ１の廃棄のために廃棄テープ１４を使用するとき排泄物はその特定の位置でテープ１４上に存在することがあり得る。従って、廃棄テープ１４を使用するとき装着者に最も近い廃棄テープの端部分の取り扱いを避けるために、この端部分が固定されること、及び反対の端部分取り付け手段１７が釈放可能であることが好ましい。廃棄テープを使用する方法は以下に説明されるだろう。
【００２５】
廃棄テープはおむつが装着される前のその位置で、上部縁８を横切ってそのまわりに位置されながら身体対面表面及び下着対面表面に取り付けられる。
【００２６】
テープ端部分上の固定された取り付け１８の位置は臨界的でないが、これは廃棄テープの縦方向端２０の近くに位置されることが好ましい。もし強度の理由のために要求されるなら、取り付け手段１８はテープ１４の端部分の主要部分を越えて上部縁８までさえも延びてもよいが、いかなる硬い縁効果も創成されることを避けるために非取り付けの小さな余裕部分を上部縁８の下に残すことが好ましい。
【００２７】
釈放可能な取り付け手段１７は例えば圧力感受性接着剤又は釈放可能な機械的固定手段であってもよい。どちらを選択しても、釈放可能な取り付け手段１７は（例えば、丸められた又は折りたたまれたおむつのまわりを通った後）廃棄テープ１４の外部表面に及び／又はおむつの下部シートに取り付けることができるべきである。釈放可能な取り付け手段１７が圧力感受性接着剤である場合、下部シート６及び／又はテープ１４はポリエチレン又は他のポリマーフィルム材料又は圧力感受性接着剤が取り付くことができる他の材料からなってもよい。もし釈放可能な取り付け手段がフック及びループ型取り付け手段のフック部分であるなら、そのとき下部シート６及び／又は廃棄テープ１４外部表面はフック部分が軽い圧力だけで容易に取り付くことができる不織布の如き好適な受容材料から作られるべきである。
【００２８】
廃棄テープ１４の材料は好ましくは柔らかい外部に面する表面が装着者との接触のために与えられるようにすべきである。従って、廃棄テープとして通常の接着剤テープフィルム（例えば押出ポリエチレン又はポリプロピレンフィルム）を使用することができるが、かかるテープ材料は特に柔らかくないので本発明のおむつのためにあまり好ましくない。
【００２９】
廃棄テープの好ましい材料は不織材料又はフォーム材料である。例えばスパンボンド、メルトブロー又はカードされた不織布の如き単一層不織材料を使用してもよい。
【００３０】
ある実施態様では、不織布積層体を使用してもよい。本発明のために特に好ましい一例は積層体のカードされた層が使用時に皮膚に接触する積層体の層であるスパンボンド／カードされた不織布である。この積層体のために、次の層を使用してもよい。即ち、スパンボンドされた、１００％ポリプロピレン、白色、３０ｇｍ−２表面重量層、２．２〜２．５ｄｔｅｘ、一方カードされた層は白色、１００％ポリプロピレン、２．２ｄｔｅｘ、３０ｇｍ−２表面重量の層であってもよい。
【００３１】
しかしながら、廃棄テープ上の張力が通常あまり高くないので、３０ｇｍ−２未満の表面重量を使用してもよい。従って、例えば１８ｇｍ−２の低い表面重量が通常許容される。強度と柔らかさの両方の条件を満たすためには、テープ全体に対して１５ｇｍ−２〜８０ｇｍ−２、より好ましくは２０〜６５ｇｍ−２の範囲の表面重量が好ましい。表面重量測定は、乾燥材料を使用して２１℃の温度及び５５％の湿度条件でなされるべきである。
【００３２】
上述のカードされた層（白色、１００％ポリプロピレン、２．２ｄｔｅｘ、１８〜３０ｇｍ−２）を下着対面表面層として使用してもよく、それに対して廃棄テープの（フック及びループ型取り付け手段の）フック状材料区域を釈放可能に取り付けてもよい。
【００３３】
フォーム材料が廃棄テープのために使用される場合、好適な材料はポリウレタン（ＰＵ）又はポリエチレン（ＰＥ）フォームであってもよい。しかしながら、フォームの種類は少なくとも装着者の皮膚に接触することを意図される部分においては柔らかくなるように選択されることが好ましい。ＰＵ又はＰＥフォームのための好適なフォーム厚さは典型的には０．５〜８．０ｍｍにある（圧縮なしで光学キャリパーによる測定）。厚いフォーム材料（例えば８ｍｍまで又はさらに大きい）は薄いフォーム材料より大きい細孔（気泡）が存在するために一般に柔らかいので好ましい。連続気泡フォーム又は非連続気泡フォームを使用することができる。
【００３４】
廃棄テープ１４は腰バンド（前腰部分及び／又は後腰部分）で身体対面表面に沿って延びるので、少なくとも廃棄テープのこの部分は吸収部材であるように構成されてもよい。かかる場合には、連続気泡フォームがその吸収特性のために好ましい。少なくともおむつの身体対面表面における廃棄テープの部分は身体排泄物の逃避を腰領域における一時的保持及び吸収によって防止するように機能してもよい。排泄物の漏出の危険は後腰部分において大きいことが多いので、少なくともおむつの後腰部分における吸収廃棄テープの使用は特に有利でありうる。さらなる利点はおむつの後腰部分に廃棄テープを有するときに与えられる。即ち、装着者が廃棄テープを釈放することが難しいからである。例えば小さな子供の場合、後に廃棄テープを与えること（それは脱着が難しい）は子供が廃棄テープを容易に意図的に釈放できないという利点を与えることができる。
【００３５】
例えば図２に示すように、廃棄テープ１４の最下縁２０と取り付け手段１８の間に距離を残してもよく、それは排泄物を受けるためのポケットを形成するために配置されてもよい。かかるポケットはまた、フォーム材料がおむつのその領域に存在するいかなる排泄物を吸収するための時間を多くすることができる。
【００３６】
この点に関して図１に描かれたテープ１４の寸法Ｂが上部縁Ａの長さの小さな範囲だけを延びること、及び廃棄テープ１４がポケットとして及び／又は吸収部材として使用することを意図される場合、寸法Ｂを長くすべきであり、好ましくは寸法Ａの少なくとも５０％、より好ましくは寸法Ａの少なくとも７５％にすべきであることが注意される。例えば重い失禁症のためのおむつでは、寸法Ｂを寸法Ａと同じように与えることが望ましい。
【００３７】
フォーム材料はその乾燥状態において可撓性であるように選択されたものであることが極めて好ましい。可撓性であるＰＵ及びＰＥは業界で良く知られている。フォームがあまり可撓性でない場合には、通常、フォームを厚くすることによって十分な可撓性を達成することができる。
【００３８】
図は下着対面表面を覆う廃棄テープ１４の部分と身体対面表面を覆うそれがほぼ等しいことを示すが、もし下着対面表面上のＹ−Ｙ方向における廃棄テープ１４の長さが身体対面表面上のそれより大きいなら好ましいかもしれない。このようにすると、おむつを丸めた後に下部シート６への廃棄テープ１４の取り付け手段１７の再取り付けのためにより大きいテープ長さが利用可能である。
【００３９】
必要でないが、廃棄テープ１４が上部縁８を横切ってかつそのまわりを通る場合、小さなエアポケットが作られるように過剰の材料を与えてもよい。これは装着者の皮膚と接触するときの上部縁８におけるテープの感触及び柔らかさを増大する利点を持ちうる。
【００４０】
テープの長さ（即ち、Ｙ−Ｙ方向の長さ）は２ｃｍ程度の短さであってもよいが、その長さは５ｃｍより大きいことが好ましい。もし例えば丸められたおむつの全周囲のまわりにテープをまわして廃棄されることが望ましいなら、より長いテープ、例えば１０〜２０ｃｍのものを使用してもよい。テープの材料はまた、より短い廃棄テープ１４を使用できるように、少なくともその一つ以上の部分に沿って、又はその全長さに沿って、弾性的に伸張可能であるように選択されてもよい。
【００４１】
ある場合（例えば以下でより詳細に説明される図８及び９を参照）、前腰部分上部縁８を横切ってかつそのまわりを通る廃棄テープ１４の幅広い部分の長さは縁のいずれかの側上にほんの小さな量（例えば０．５ｃｍ〜２ｃｍ）の重複部を伴って上部腰縁の主要部分を覆ってもよく、一方廃棄テープのさらなる部分（例えば図８及び９に示されるような横方向中央区域における）を長くしてもよい。
【００４２】
パンツ型おむつ１０１の形の本発明によるおむつのさらなる実施態様は図３及び４においてそれぞれ正面図及び側面図で示されている。図３及び４における参照番号は図１及び２に使用されたものに相当するが、１００を付加されている。
【００４３】
パンツ型おむつ１０１は継目１２１，１２２で一緒に接合された前腰部分及び後腰部分の側部縁を有する。典型的にはこれらの継目は溶接された継目又は側部縁間で接着剤によって形成された継目である。継目はある実施態様では、それらが剥離又は引裂されて開放されるように作られることができ、側部再閉鎖手段（図示せず）が側部開放後に再閉鎖を可能にするようにさらに与えられてもよい。
【００４４】
廃棄テープ１１４の横方向寸法Ｂはこの実施態様では、上部縁の長さ（寸法Ａ）のほぼ５０％に延びるように示される。しかしながら、寸法Ａに対してより小さい又はより大きい寸法Ｂを選択してもよい。より大きい寸法Ｂを選択することによって、上部縁１０８は明らかにより大きい程度に覆われ、従って廃棄テープの材料は装着者の身体と接触する主要な領域及び装着者から高い圧力をおそらく最も受けやすい領域において装着者の身体と接触して柔らかい快適な上部縁を形成することができる。
【００４５】
この実施態様では、廃棄テープの（Ｘ−Ｘ方向における）幅Ｂのため、二つの取り付け手段１１７、好ましくは釈放可能な取り付け手段は外部下縁１２４に近いテープ１１４の端部分でそれに沿って離間された位置で与えられる。しかしながら、もし望むなら単一の取り付け手段１１７、又は二つより多い取り付け手段１１７を与えることができることは明らかであるだろう。
【００４６】
もし取り付け手段１１７が代わりに廃棄テープ１１４と下部シート１０６の間の固定された取り付け手段であるなら、廃棄テープ１１４をおむつの身体対面表面１０５に（例えば図１及び２の第一実施態様において取り付け手段１８によって示される対応位置でありうるその上の位置に）接続するために釈放可能な取り付け手段（図示せず）を与えなければならない。
【００４７】
後腰部分上部縁１０９は第一実施態様におけるように、その上に廃棄テープ部材を全く持たない。廃棄テープ１１４と同じ又はそれとは異なる寸法の廃棄テープはさらに／代わりに後腰部分に与えられてもよい。このようにして、後腰上部縁１０９は装着者に対してより快適に作られることができる。
【００４８】
廃棄テープがおむつを廃棄のための特定の状態に保持するために使用されるとき、おむつは腰側部縁を開放又は閉鎖した構成であってもよい。おむつの廃棄及び廃棄テープの使用は図５に示されるようなおむつに対して記載されるだろう。図５は前の実施態様に対応する参照番号を使用するが、番号２０１で始まる。図５では、腰部分側部縁は図３及び４の実施態様のように接合領域２２１，２２２で取り付けられる。しかしながら、腰部分側部縁は、図５に示された丸められた構成が開放又は閉鎖された腰側部縁を有するおむつに適用するように、取り付けられるか（パンツ型）又は分離されてもよい（閉鎖可能／再閉鎖可能な型）。
【００４９】
前及び後腰部分が互いに対して置かれ、これらの部分の各々における上部シート領域が互いに接触する構成のおむつを用いると、排泄物は一般に、おむつ内の身体対面表面上に含まれ、従って外部に露出されない。製品２０１はそのとき例えば図５に示すように一回以上折りたたまれるか、かつ／または丸められることができる。釈放可能な取り付け手段２１７は、釈放可能な取り付け手段２１７を上部に有する廃棄テープ２１４の端（即ち、下縁２２４を含む端部分）がおむつをその廃棄されるための構成を維持するために下部シート２０６に釈放可能に取り付けられることができるように（折りたたみ又は丸める前又は後に）釈放される。かくして、おむつ製品は図５に示された構成で廃棄のための準備ができる。
【００５０】
図５から明らかなように、もし取り付け手段２１８が釈放可能な取り付けとして作られるなら、廃棄テープは身体対面表面（上部シート２０５）から除去されることができ、次いで取り付け手段２１８は例えば腰開口を同様に閉鎖するように下部シートの別の部分に（例えば両腰部分上部縁２０８，２０９を横切って）取り付けられることができる。かかる実施態様は（図５のものより少し幅広い廃棄テープ４１４を使用して）図７に示され、それによれば単一の釈放可能な取り付け手段４１７は下部シート４０６の一方の部分に位置され、二つの釈放可能な手段４１７（図でかっこ書で示される）は腰開口の他方の側上で下部シート４０６に取り付けられた廃棄テープ４１４の他方の端に与えられる。図７の実施態様では、二つの参照番号４１８は取り付け手段４１８が固定された取り付けであるさらなる代替構成を示し、それによれば取り付け手段４１８だけがその元々取り付けられた方向（図示せず）から釈放されることが必要であり、そこでそれは後腰部分４０４の身体対面表面（上部シート４０５）に釈放可能に取り付けられる。
【００５１】
上述のように、廃棄テープ２１４は、少なくとも一つの取り付けが釈放可能であり、廃棄テープ（又は一つより多くが与えられるなら、各廃棄テープ）がおむつの単一上部縁を横切ってかつそのまわりに延びる限り、後腰部分及び／又は前腰部分においておむつの下着対面表面又は身体対面表面のいずれかに釈放可能に又は固定してのいずれかで（廃棄前の状態で）取り付けられることができる。従って、廃棄テープ構成を配置する複数の方法が利用可能である。一つのかかる構成が図６に示され、それは廃棄の状態で廃棄テープ３１４とともに保持されたおむつを示し、廃棄テープ３１４は固定された取り付け手段３１８で後腰部分３０４上の下部シート３０５に固定して取り付けられ、テープ３１４上の釈放可能な取り付け手段３１７は下部シート３０６に釈放可能に取り付けられ、それによって上部縁３０８，３０９の間を通る。かかる構成では、釈放可能な取り付け手段３１７は詳細を隠して示されているが、それはそれが上部縁３０９を横切ってかつそのまわりに取り付けられるおむつ上の最初の位置において、テープ３１４を下部シートにその縁３０９を横切ってかつそのまわりに釈放可能に固定するための手段が要求されることを意味する。これは取り付けの最初の位置にテープ上及び／又は下部シート上に与えられたさらなる釈放可能な取り付け手段（図示せず）の形であってもよい。
【００５２】
さらなる代替例（図示せず）は、テープが（図６のテープ上に既に示されているように）一つの釈放可能な部材３１７を与えられることができるが、テープが（後腰部分３０２において下部シート３０６上の最初の釈放可能な位置から釈放した後）図６に示された位置において上部シート上に置かれる前にその縦軸のまわりに１８０°回転されることである。
【００５３】
図８及び９に示された実施態様では、廃棄テープ５１４，５１４′は上部縁５０８に関して改良された快適性を可能にする形、並びに材料の節約を与えられ、それによって前腰部分上部縁５０８は上部縁を横切りかつそのまわりの小さな重複部でその長さの部分（例えば、その長さの２５％より多い、好ましくは５０％より多い、より好ましくは７５％より多い部分）にわたってそれを覆うために十分な材料を有し、一方同時に横方向（Ｘ−Ｘ）に減少した幅を有する縦方向に延びる部分５１４′はおむつを一緒に容易に固定するために望ましい材料の長さを与えるために使用される。図９はおむつの後から見た図８と同じ実施態様を示し、上部縁５０８を横切りかつそのまわりを通る廃棄テープ５１４をより明瞭に示す。廃棄テープ５１４を身体対面表面（上部シート５０５）に縁５０８のまわりで固定して取り付ける取り付け手段５１８は図９では長い領域として示されるが、それは廃棄テープ５１４の実質的に全ての幅に延びてもよい。一方、下着対面表面（下部シート５０６）に対する釈放可能な取り付けは縦方向延長部５１４′の端部分上の単一の取り付け手段５１７として示される。
【００５４】
図１０は図８及び９のものと同様の実施態様を示す。しかしながら、単一の縦方向延長部５１４′は図１０では廃棄テープ６１４の対向端に位置されかつ離間された二つの縦方向延長部６１４′及び６１４′′と置換されている。明確にするために、上部シート６０５及び下部シート６０６上の取り付け手段は示されているが、一般に図９に示されたものと同じ位置を有してもよい。取り付け手段の別の位置、形状、種類及びサイズはもちろん可能である。
【００５５】
前腰部分における廃棄テープの位置を示す実施態様が後腰部分における追加の廃棄テープを等しく含んでもよく、その追加の廃棄テープは同じ又は異なる形状であってもよいことも理解されるべきである。前腰部分上に示されたテープが後腰部分上に代わりに置かれることもできる。同様に後腰部分における廃棄テープの位置を示す実施態様は前腰部分において追加の廃棄テープを等しく含んでもよく、その追加の廃棄テープは同じ又は異なる形状を有してもよい。前又は後腰部分のそれぞれの上の実施態様に示されるテープが腰部分の他方の上に代替的に置かれることも本発明に包含される。
【００５６】
テープのさらなる方向、形状及び取り付けも本発明の範囲内で可能である。例えば、テープはおそらく積層された構造として単一のテープ材料からなるものとして示されているが、実施態様のいずれの廃棄テープも互いに異なる縦方向の二つ以上の区域からなってもよい。例えば、廃棄テープは縦方向に三つの区域（図示せず）からなってもよく、そこでは中央区域はおそらく厚い材料（例えばフォーム材料）を使用することによって特に柔らかく作ることができる腰部分の上部縁を横切ってかつそのまわりを通る区域であり、二つの外側の区域はおそらく柔らかさに劣りかつ安価な材料（例えばポリエチレンテープ）から作られ、前記外側の区域の各々は中央区域の各端に固定して取り付けられる。多くの他の材料層／区域の組み合わせも可能である。
【００５７】
前述から明らかなように、本発明のおむつの少なくとも特定の実施態様に適用された廃棄テープは、それが廃棄手段であると同時に上部腰縁に対する快適な縁構成を与えるための手段であるという二重の機能を提供する特別な利点を有する。
【図面の簡単な説明】
【００５８】
【図１】本発明による再閉鎖可能なおむつを平坦に横たわらせた状態で示す。
【図２】図１の線ＩＩ−ＩＩに沿った横断面図を示す。
【図３】横方向中央部分における廃棄テープを描くパンツ型おむつの前腰部分に対する図を示す。
【図４】図３のおむつの側部透視図を示す。
【図５】身体対面表面に固定して取り付けられかつ下部シートに取り付けられた廃棄テープを用いて廃棄のために丸められたパンツ型おむつの一例を示す。
【図６】おむつ廃棄のための別の廃棄テープ取り付け位置を有する図５と同様のパンツ型おむつを示す。
【図７】おむつ廃棄のための別の廃棄テープ取り付け位置を有する図５と同様のパンツ型おむつを示す。
【図８】別の形の廃棄テープを有する図３と同様の図のさらなる実施態様を示す。
【図９】図８のおむつの後腰部分に対する図を示す。
【図１０】別の形の廃棄テープを有する図６と同様の図を示す。
【図１】
2007508878.tif 000003
【図２】
2007508878.tif 000004
【図３】
2007508878.tif 000005
【図４】
2007508878.tif 000006
【図５】
2007508878.tif 000007
【図６】
2007508878.tif 000008
【図７】
2007508878.tif 000009
【図８】
2007508878.tif 000010
【図９】
2007508878.tif 000011
【図１０】
2007508878.tif 000012
【国際調査報告】
2007508878.tif 000013
2007508878.tif 000014
2007508878.tif 000015